(57)【要約】【課題】  着用中にずれやねじれを生じさせることがなくなり、ファッション性をさらに高めることができるかかとソックスを提供する。【解決手段】  足の甲部２の上部からあきれす腱部６にかけて密着して券回される帯状の伸縮自在な第１の部材１１と、足の甲部２の上部から土踏まず部４にかけて密着して券回され第１の部材１１に足の甲部２において接続される帯状の伸縮自在な第２の部材１２と、あきれす腱部６から土踏まず部４にかけてかかと部３の周囲を密着して券回され第１の部材１１にあきれす腱部６において接続されるとともに第２の部材１２に土踏まず部４において接続される帯状の伸縮自在な第３の部材１３とを備える。【選択図】      図１
0003118378.tif 000002
【実用新案登録請求の範囲】
【請求項１】
足の甲部の上部からあきれす腱部にかけて密着して券回される帯状の伸縮自在な第１の部材と、前記足の甲部の上部から土踏まず部にかけて密着して券回され前記第１の部材に足の甲部において接続される帯状の伸縮自在な第２の部材と、前記あきれす腱部から土踏まず部にかけてかかと部の周囲を密着して券回され前記第１の部材にあきれす腱部において接続されるとともに前記第２の部材に前記土踏まず部において接続される帯状の伸縮自在な第３の部材とを備えたことを特徴とするかかとソックス。
【請求項２】
前記足の甲部からかかと部にかけての前記第１、第２及び第３の部材で囲まれる左右の領域部分を覆うよう布を前記第１、第２及び第３の部材に取付けたことを特徴とする請求項１記載のかかとソックス。
【請求項３】
前記かかと部を覆うよう布を前記第３の部材に取付けたことを特徴とする請求項１記載のかかとソックス。
【考案の詳細な説明】
【技術分野】
【０００１】
本考案は、足のかかとに密着させて着用できるかかとソックスに関するものである。
【背景技術】
【０００２】
従来、女性用のソックス等の履物として、つま先部分を露出させ、かかと部分に着用するソックスが知られている。例えば、足指が出るようにつま先部分を開口させ、足指つけ根から足首まで一体となる形状に形成されたフットカバーが知られている（例えば、特許文献１参照。）。また、靴下の爪先部分が切除され、脚部の両側に帯状部材を設けた靴下で、足に爪先部を露出させて着用し、帯状部材を足首に巻付けて着用するものが知られている（例えば、特許文献２参照。）。
【特許文献１】実開昭５８−１１０００５号公報（第１ページ、図１及び図２）。
【特許文献２】実開昭６４−４５１０２号公報（第１ページ、図１〜図４）。
【考案の開示】
【考案が解決しようとする課題】
【０００３】
従来のかかとに着用するソックスは、つま先部側を開口させて足首部分まで覆うほぼ筒状に形成され、つま先部分及び足首部分に伸縮素材を使用したり、全体を伸縮素材にしているため、ファッション性をさらに高めるために小さく形成した場合には、着用中にずれたり、ねじれが生じるおそれがあった。
【０００４】
本考案は上記事情に鑑みなされたもので、ずれやねじれを生じさせることなく着用することができ、ファッション性をさらに高めることが可能になるかかとソックスを提供することを目的とする。
【課題を解決するための手段】
【０００５】
上記目的を達成するために請求項１に記載の考案にあっては、足の甲部の上部からあきれす腱部にかけて密着して券回される帯状の伸縮自在な第１の部材と、前記足の甲部の上部から土踏まず部にかけて密着して券回され前記第１の部材に足の甲部において接続される帯状の伸縮自在な第２の部材と、前記あきれす腱部から土踏まず部にかけてかかと部の周囲を密着して券回され前記第１の部材にあきれす腱部において接続されるとともに前記第２の部材に前記土踏まず部において接続される帯状の伸縮自在な第３の部材とを備えたものである。足のかかと部の周囲に、帯状の伸縮自在な第１、第２及び第３の部材が装着されることで、着用中にずれやねじれを生じさせることがなくなり、ファッション性をさらに高めることができる。
【０００６】
請求項２に記載の考案にあっては、前記足の甲部からかかと部にかけての前記第１、第２及び第３の部材で囲まれる左右の領域部分を覆うよう布を前記第１、第２及び第３の部材に取付けたことを特徴とするものである。足の甲部からかかと部にかけての左右の領域部分を布で覆うことで、ファッション性を高めることができる。
【０００７】
請求項３に記載の考案にあっては、前記かかと部を覆うよう布を前記第３の部材に取付けたことを特徴とするものである。かかと部を布で覆うことで、ファッション性を高めることができる。
【考案の効果】
【０００８】
本考案では、足の甲部の上部からあきれす腱部にかけて密着して券回される帯状の伸縮自在な第１の部材と、足の甲部の上部から土踏まず部にかけて密着して券回され第１の部材に足の甲部において接続される帯状の伸縮自在な第２の部材と、あきれす腱部から土踏まず部にかけてかかと部の周囲を密着して券回され第１の部材にあきれす腱部において接続されるとともに第２の部材に土踏まず部において接続される帯状の伸縮自在な第３の部材とを備えたことで、足のかかと部の周囲に、帯状の伸縮自在な第１、第２及び第３の部材が装着されることで、着用中にずれやねじれを生じさせることがなくなり、ファッション性をさらに高めることができる。
【考案を実施するための最良の形態】
【０００９】
以下、本考案を図示の一実施形態により具体的に説明する。図１及び図２は本考案第１実施形態のかかとソックスを説明する図であり、図１はかかとソックスを着用した状態における足先側から見た斜視図、図２はかかとソックスを着用した状態における足裏側から見た斜視図である。
【００１０】
これらの図において、本第１実施形態のかかとソックス１０は、足首部１の下部側の足の甲部２側から、かかと部３及び土踏まず部４にかけての部分に着用されるものであり、帯状の伸縮自在な材料から形成される第１の部材１１と、第２の部材と、第３の部材とが互いに接続されたものである。これらの第１の部材１１、第２の部材及び第３の部材は、例えば、幅が４〜１０ｍｍ程度の帯状でゴム等の材料を含む伸縮自在な材料であって、色彩や表面のデザイン等もファッション性に応じて任意のものが使用される。
【００１１】
第１の部材１１は、足首部１の下部側であって、足の甲部２の上部側からあきれす腱部６にかけて密着して券回される帯状で全体としてリング状に形成されているものである。第２の部材１２は、足の甲部２の上部から土踏まず部４にかけて密着して券回される帯状で全体としてリング状に形成されているものである。この第２の部材１２は、第１の部材１１に足の甲部２において接続部１５で接続されている。このような接続部１５は、縫い付けにより行うことができるが、編み込みあるいは他の手段により一体的形成されていてもよい。第３の部材１３は、あきれす腱部６から土踏まず部４にかけてかかと部３の周囲を密着して券回される帯状で全体としてリング状に形成されているものである。この第３の部材１３は、第１の部材１１にあきれす腱部６において接続部１４で接続され、第２の部材１２に土踏まず部４において接続部１６で接続される。これらの接続部１４，１６についても、上記の接続部１５の説明と同様である。
【００１２】
上記構成のかかとソックス１０では、着用する場合には、つま先部５側から第１の部材１１及び第２の部材１２を通し、かかと部３まで挿入させ、第１の部材１１を足首部１の下部側の足の甲部２からあきれす腱部６にかけて装着し、第２の部材１２を足の甲部２から土踏まず部４にかけて装着し、続いて、第３の部材１３をあきれす腱部６から土踏まず部４にかけてかかと部３の周囲に装着する。第１、第２及び第３の部材１１、１２、１３は、帯状でゴム等の材料を含む伸縮自在な材料で形成され、かつそれぞれが足の甲部２、あきれす腱部６及び土踏まず部４において接続部１５，１４，１６で接続されているため、かかと部３の周囲に密着させた状態で装着されるため、着用中にずれやねじれを生じさせることがなくなる。また、かかと部３の周囲に装着させるため、つま先部５を大きく露出させるとともにかかと部３やその上部側を露出させることで、ファッション性をさらに高めることができる。
【００１３】
図３は本考案第２実施形態のかかとソックスを着用した状態における足先側から見た斜視図、図４は本考案第３実施形態のかかとソックスを着用した状態における足裏側から見た斜視図である。
【００１４】
第２実施形態のかかとソックス２０は、図３に示すように、足の甲部２からかかと部３にかけての第１、第２及び第３の部材１１，１２，１３で囲まれる左右の領域部分を覆うよう布２１，２２を第１、第２及び第３の部材１１，１２，１３に取付けたものである。また、第３実施形態のかかとソックス３０は、図４に示すように、かかと部３を覆うよう布３１を第３の部材１３に取付けたものである。
【００１５】
上記構成のかかとソックス２０または３０は、第１実施形態のソックス１０と同様に、ずれやねじれを生じさせることがなくなるが、布２１，２２または３１を取付けることでファッション性をさらに高めることができる。
【産業上の利用可能性】
【００１６】
足のかかとに密着させて着用できるかかとソックスに利用することができる。
【図面の簡単な説明】
【００１７】
【図１】本考案第１実施形態の足先側から見たかかとソックスの斜視図である。
【図２】本考案第１実施形態の足裏側から見たかかとソックスの斜視図である。
【図３】本考案第２実施形態の足先側から見たかかとソックスの斜視図である。
【図４】本考案第３実施形態の足裏側から見たかかとソックスの斜視図である。
【符号の説明】
【００１８】
１  足首部
２  足の甲部
３  かかと部
４  足土踏まず部
５  足先部
６  あきれす腱部
１０，２０，３０  かかとソックス
１１  第１の部材
１２  第２の部材
１３  第３の部材
１４，１５，１６  接続部
２１，２２，３１  布
【図１】
0003118378.tif 000003
【図２】
0003118378.tif 000004
【図３】
0003118378.tif 000005
【図４】
0003118378.tif 000006